(57)【特許請求の範囲】
【請求項１】
引戸と門柱を備え、引戸は、戸先に戸当りガイドと補助ガイドローラーを有し、補助ガイドローラーは、戸当りガイドの両側に戸当りガイドよりも戸先側に突出して設けてあり、垂直軸回りに回転自在に保持してあり、門柱は、引戸側の側面に長手方向に沿う突部と戸当りガイド受けを有し、引戸を閉めたときに補助ガイドローラーが門柱の突部の両側に位置することを特徴とする門扉。
【請求項２】
一方の引戸と他方の引戸を備え、一方の引戸は、戸先に戸当りガイドと補助ガイドローラーを有し、補助ガイドローラーは、戸当りガイドの両側に戸当りガイドよりも戸先側に突出して設けてあり、垂直軸回りに回転自在に保持してあり、他方の引戸は、戸先に戸当りガイド受けを有し、引戸を閉めたときに補助ガイドローラーが他方の引戸の戸先部の両側に位置することを特徴とする門扉。
【発明の詳細な説明】
【技術分野】
【０００１】
本発明は、引戸式の門扉に関する。
【背景技術】
【０００２】
従来の引戸門扉は、図１２に示すように、引戸９０の戸先９０ａに略円錐状の戸当りガイド９１を突出して設け、門柱９２の引戸側の側面に戸当りガイド受け９３が設けてあり、引戸を閉めたときに戸当りガイド９１が戸当りガイド受け９３に挿入されることで、引戸９０の戸先９０ａが敷地側や道路側に多少振れていたとしても、引戸９０の戸先９０ａが門柱９２の所定の位置に当たるように誘導し、正常に施錠が行えるようにしている。大型の引戸門扉やノンレールタイプの引戸門扉では、引戸を閉める際に戸先９０ａの振れが大きく、戸当りガイド９１が戸当りガイド受け９３に収まらずに門柱９２に衝突し、門柱９２が傷付いたり変形したりすることがあった。
【発明の概要】
【発明が解決しようとする課題】
【０００３】
本発明は以上に述べた実情に鑑み、引戸を閉める際に戸先が敷地側や道路側に大きく振れている場合でも、戸先を所定の位置に誘導し、門柱等が傷付いたり変形したりするのを防止できる門扉の提供を目的とする。
【課題を解決するための手段】
【０００４】
上記の課題を達成するために請求項１記載の発明による門扉は、引戸と門柱を備え、引戸は、戸先に戸当りガイドと補助ガイドローラーを有し、補助ガイドローラーは、戸当りガイドの両側に戸当りガイドよりも戸先側に突出して設けてあり、垂直軸回りに回転自在に保持してあり、門柱は、引戸側の側面に長手方向に沿う突部と戸当りガイド受けを有し、引戸を閉めたときに補助ガイドローラーが門柱の突部の両側に位置することを特徴とする。
【０００５】
請求項２記載の発明による門扉は、一方の引戸と他方の引戸を備え、一方の引戸は、戸先に戸当りガイドと補助ガイドローラーを有し、補助ガイドローラーは、戸当りガイドの両側に戸当りガイドよりも戸先側に突出して設けてあり、垂直軸回りに回転自在に保持してあり、他方の引戸は、戸先に戸当りガイド受けを有し、引戸を閉めたときに補助ガイドローラーが他方の引戸の戸先部の両側に位置することを特徴とする。
【発明の効果】
【０００６】
請求項１記載の発明による門扉は、引戸を閉める際に戸先が敷地側や道路側に大きく振れている場合でも、補助ガイドローラーが戸当りガイドよりも先に門柱の突部に当たり、垂直軸回りに回転しながら門柱の突部の両側に移動することで、戸当りガイドが戸当りガイド受けにきちんと収まるように戸先を所定の位置に誘導できる。補助ガイドローラーが門柱の突部に先に当たることで、戸当りガイドが門柱に衝突して門柱が傷付いたり変形したりするのを防止できる。
【０００７】
請求項２記載の発明による門扉は、引戸を閉める際に戸先が敷地側や道路側に大きく振れている場合でも、補助ガイドローラーが戸当りガイドよりも先に他方の引戸の戸先に当たり、垂直軸回りに回転しながら他方の引戸の戸先部の両側に移動することで、戸当りガイドが戸当りガイド受けにきちんと収まるように戸先を所定の位置に誘導できる。補助ガイドローラーが他方の引戸の戸先部に先に当たることで、戸当りガイドが他方の引戸の戸先部に衝突して他方の引戸の戸先部が傷付いたり変形したりするのを防止できる。
【図面の簡単な説明】
【０００８】
【図１】第１実施形態の門扉を閉じる際の引戸の動きを示す横断面図である。
【図２】本発明の門扉の第１実施形態を示す正面図である。
【図３】同門扉の平面図である。
【図４】同門扉の引戸の戸先側の側面図である。
【図５】戸当りガイド及び補助ガイドローラーの周辺部を拡大して示す側面図である。
【図６】図２のＡ−Ａ断面図である。
【図７】補助ガイドローラーの取付け方を示す分解斜視図である。
【図８】本発明の門扉の第２実施形態を示す正面図である。
【図９】第２実施形態の門扉の引戸同士の突き合わせ部を拡大して示す正面図である。
【図１０】図９のＢ−Ｂ断面図である。
【図１１】第２実施形態の門扉を閉じる際の引戸の動きを示す横断面図である。
【図１２】従来の門扉における門扉を閉じる際の引戸の動きを示す横断面図である。
【発明を実施するための形態】
【０００９】
以下、本発明の実施の形態を図面に基づいて説明する。図２〜７は、本発明の門扉の第１実施形態を示している。この門扉は、公共施設や工場等の道路と敷地の境界に設置される大型の引戸門扉であって、図２，３に示すように、引戸１と門柱２とを備え、引戸１を地面Ｇに敷設した一対のレール７に沿って右方向に移動させることにより塀８の間口を開き、引戸１をレール７に沿って左方向に移動させて門柱２に突き当てることにより塀８の間口を引戸１で塞ぐものである。
【００１０】
引戸１は、図２に示すように、戸先框９と戸尻框１０間の上部と中間部と下部とに横桟１１ａ，１１ｂ，１１ｃを架設し、横桟１１ａ，１１ｂ，１１ｃの道路側の面に多数の格子１２が間隔をあけて取付けてある。さらに引戸１は、図３，４に示すように、敷地側に横フレーム１３が下部の横桟１１ｃと連結して配置され、上部の横桟１１ａと横フレーム１３間に控柱１４を複数設置して、引戸１が道路側や敷地側に倒れないように安定性を高めている。横フレーム１３は、横桟１１ｃよりも戸先側が約１ｍ程度短くなっており、その側方に控柱１４のない空きスペース１５が形成され、この空きスペース１５に人が入ることで引戸１の開閉操作をしやすくしている。空きスペース１５にはＬ型の支えフレーム１６が設けてあり、その下面に設けたキャスター１７を地面Ｇに接地することで、引戸１の戸先１ａが道路側や敷地側に振れるのを防いでいる。
下部の横桟１１ｃと横フレーム１３の下面には複数の台車１８が設けてあり、これらの台車１８の車輪１８ａはつば付きの車輪となっており、図４に示すように、レール７と係合している。レール７は、図２に示すように、一番戸先側の台車１８よりも戸先側の門柱２の近くには設置されておらず、歩行者等の通行を容易にしている。戸先框９の下端部には、ブレーキ付きのキャスター１９が設けてあり、これにより強風や地面の僅かな傾斜により引戸１が勝手に動かないようにしている。引戸１を開閉する際には、引手２０の近くに設けたレバー２１を操作することで、ブレーキが解除される。
【００１１】
戸先框９は、図２，５に示すように、上下方向の中間部に引手２０と錠２２が設けてあり、引手２０よりやや上方の戸先面に、略円柱状の戸当りガイド３が突出して設けてある。戸当りガイド３は、図６に示すように、先端部にテーパー状に面取り３ａがしてある。さらに戸先框９は、戸当りガイド３よりも戸先側に突出した位置の道路側と敷地側の両側に、ゴム製の補助ガイドローラー４が設けてある。補助ガイドローラー４は、ステンレスの棒を曲げて形成したローラー支持具２３に挿通されて、垂直軸回りに回転自在に保持してある。ローラー支持具２３は、図７に示すように、補助ガイドローラー４を支持する垂直軸２３ａの上下にＬ形のアーム部２３ｂが延出してあり、アーム部２３ｂをベース金具２４の凹み２４ａに嵌合させ、その先端部を戸先框９に形成した孔２５に挿入し、アーム部２３ｂを押さえるようにベース金具２４に蓋２６を被せて３本のネジ２７で固定することで、強固に取付けてある。
門柱２は、図６に示すように、引戸１側の側面に矩形中空断面の突部５が長手方向の全長に亘って設けてあり、突部５の引戸１側の側面に、戸当りガイド３が挿入される凹部２８を有する戸当りガイド受け６が設けてある。引戸１を閉めたときには、補助ガイドローラー４，４が門柱２の突部５の両側に位置している。
【００１２】
引戸１を閉める際には、敷地側若しくは道路側の引手２０を持って門柱２側に押すようにして閉めるが、引戸１が大型で引手２０に大きな力が加わり、且つ戸先側には控柱１４を設けていないこともあって、引戸１の戸先１ａが敷地側や道路側に振れることがある。本門扉は、引戸１を閉める際に戸先１ａが敷地側や道路側に振れていると、図１（ａ）に示すように、片方の補助ガイドローラー４が門柱２の突部５に戸当りガイド３よりも先に当たり、その後、図１（ｂ）に示すように、補助ガイドローラー４が回転しながら門柱５の突部５の両側に移動することで、戸当りガイド３が戸当りガイド受け６の凹部２８にきちんと収まるように、引戸１の戸先１ａを所定の位置にスムーズに誘導する。その上で、図１（ｃ）に示すように、戸当りガイド３が戸当りガイド受け６に挿入され、戸先１ａが門柱２の所定の位置に引寄せられ、錠２２の施錠が正常に行える。
【００１３】
以上に述べたように本門扉は、戸当りガイド３の両側に補助ガイドローラー４を、戸当りガイド３よりも戸先側に突出して垂直軸２３ａ回りに回転自在に設けたことで、引戸１を閉める際に戸先１ａが敷地側や道路側に大きく振れていたとしても、補助ガイドローラー４が戸先１ａを所定の位置に誘導するため、引戸１の閉鎖が容易に且つ正確に行える。補助ガイドローラー４の直径を約２０ｍｍとすると、その半径に相当する約１０ｍｍ程度戸先１ａが敷地側や道路側に振れていても振れを吸収できる。補助ガイドローラー４が門柱２の突部５に先に衝突することで、戸当りガイド３が門柱２と衝突することを避けられるため、門柱２が傷付いたり変形したりするのを防止できる。補助ガイドローラー４はゴム製のため、衝突時の衝撃を吸収でき、且つ補助ガイドローラー４が回転することで補助ガイドローラー４に加わる力を逃がし、戸先１ａをスムーズに誘導できる。戸当りガイド３と補助ガイドローラー４が引戸１側に設けてあって、門柱２側には上下方向の中間に飛び出た部分がないため、通行の邪魔にならない。引戸１の戸先１ａより飛び出す部分を円柱状の補助ガイドローラー４とし、これをステンレスの丸棒を曲げて形成したローラー支持具２３の上下のアーム部２３ｂ間の垂直軸２３ａに保持してあり、尚且つ補助ガイドローラー４を戸当りガイド３の両側に配置したので、これらの戸先１ａから飛び出た部分に衣服や手等が引っ掛かりにくい。また、アーム部２３ｂの根本側をベース金具２４と戸先框９に埋め込んで強固に固定したことで、補助ローラー４が繰り返し衝突してもローラー支持具２３の変形や破損を防止できる。
【００１４】
図８〜１０は、本発明の門扉の第２実施形態であって、両開きの引戸門扉の場合を示している。本門扉は、一方の引戸３１と他方の引戸３２とを備え、両引戸３１，３２をレール７に沿って左右に引き分けて門扉を開き、両引戸３１，３２の戸先３１ａ，３２ａ同士を突き合わせて門扉を閉じるものである。
右側に位置する一方の引戸３１は、第１実施形態の引戸１と同様のものであって、図９，１０に示すように、戸先３１ａに戸当りガイド３が突出して設けられ、その両側に補助ガイドローラー４が戸先側に突出して垂直軸回りに回転自在に設けてある。左側に位置する他方の引戸３２は、戸先３２ａに戸当りガイド３が挿入される凹部２８を有する戸当りガイド受け６が設けてある。補助ガイドローラー４は、門扉を閉鎖した状態で他方の引戸３２の戸先框９の両側に位置している。
【００１５】
図１１は、他方の引戸３２を先に閉めて一方の引戸３１を閉める場合を示しており、その際に一方の引戸３１の戸先３１ａが敷地側や道路側に振れていると、図１１（ａ）に示すように、片方の補助ガイドローラー４が他方の引戸３２の戸先３２ａに戸当りガイド３よりも先に当たり、その後、図１１（ｂ）に示すように、補助ガイドローラー４が回転しながら他方の引戸３２の戸先框９の両側に移動することで、戸当りガイド３が戸当りガイド受け６にきちんと収まるように一方の引戸３１の戸先３１ａを所定の位置にスムーズに誘導する。その上で、図１１（ｃ）に示すように、戸当りガイド３が戸当りガイド受け６に挿入され、両引戸３１，３２の戸先３１ａ，３２ａ同士が見込み方向にずれないように正確に突き合わされ、錠２２の施錠が正常に行える。
一方の引戸３１を閉めてから他方の引戸３２を閉める場合、一方の引戸３１と他方の引戸３２を同時に閉める場合も、上記と同様に補助ガイドローラー４の作用により両引戸３１，３２の戸先３１ａ，３２ａの見込み方向のずれが補正される。
このように本門扉は、補助ガイドローラー４の作用により閉鎖時の戸先３１ａ，３２ａの振れを矯正して戸先３１ａ，３２ａ同士を正確に突き合わせられ、戸当りガイド３が他方の引戸３２の戸先３２ａに衝突して戸先框９が傷付いたり変形したりするのを防止できる。
【００１６】
本発明は以上に述べた実施形態に限定されない。戸当りガイド３と戸当りガイド受け６の形状は、適宜変更することができる。補助ガイドローラー４は、戸当りガイド３の道路側と敷地側の両側に設けてあればよく、戸当りガイド３の上方や下方にずれた位置に設けてあってもよい。補助ガイドローラー４の形状や取付け方、材質は適宜変更することができ、ゴム製のものに限らず、樹脂製のものであってもよい。引戸１，３１，３２の構成や支持構造は任意であり、全長にわたって控柱１４を有しない引戸や、ノンレールタイプの引戸にも本発明を適用することができる。
【符号の説明】
【００１７】
１  引戸
１ａ  引戸の戸先
２  門柱
３  戸当りガイド
４  補助ガイドローラー
５  門柱の突部
６  戸当りガイド受け
９  戸先框（戸先部）
３１  一方の引戸
３１ａ  一方の引戸の戸先
３２  他方の引戸
３２ａ  他方の引戸の戸先
【図１】
0005647596.tif 000002
【図２】
0005647596.tif 000003
【図３】
0005647596.tif 000004
【図４】
0005647596.tif 000005
【図５】
0005647596.tif 000006
【図６】
0005647596.tif 000007
【図７】
0005647596.tif 000008
【図８】
0005647596.tif 000009
【図９】
0005647596.tif 000010
【図１０】
0005647596.tif 000011
【図１１】
0005647596.tif 000012
【図１２】
0005647596.tif 000013